(57)【要約】      （修正有）【課題】廃棄物をコンベアへ投入する際に発生する粉塵等を取り除き、廃棄物に粉塵等が混ざらないようにするとともに作業環境の改善を図る廃棄物搬送設備を提供する。【解決手段】使用済み家電製品等の廃棄物を手作業で粗分解する建屋の作業床１２よりも下方に、廃棄物を竪型破砕機へ搬送するコンベア２が配設されている。建屋内のコンベア２上の粉塵を吸引するための吸引口２３を備えた集塵機を設けた。廃棄物に付着していた埃や、廃棄物をコンベア２に投入する際に飛散した粉塵等が、建屋内のコンベア２上で吸引されるので、廃棄物に粉塵等が混じることなく各材料を破砕することができる。したがって、円滑なリサイクルが実現できる。また、建屋内に粉塵等が舞うのを抑制するため、作業環境の向上が図れる。【選択図】図４
0003134425.tif 000002
【実用新案登録請求の範囲】
【請求項１】
使用済み家電製品等の廃棄物を手作業で粗分解する建屋の作業床よりも下方に、前記廃棄物を竪型破砕機へ搬送するコンベアが配設されている廃棄物搬送設備において、
前記建屋内のコンベア上の粉塵を吸引するための吸引口を備えた集塵機を設けたことを特徴とする、廃棄物搬送設備。
【請求項２】
前記集塵機は、前記コンベアの下方に搬送方向に沿って設けられた集塵ダクトに連結されるとともに、前記集塵ダクトには、先端に吸引口を有する複数の管が連結され、前期吸引口が前期コンベアの上方に適宜間隔で配置されていることを特徴とする、請求項１に記載の廃棄物搬送設備。
【考案の詳細な説明】
【技術分野】
【０００１】
本考案は、冷蔵庫、洗濯機、エアコン等の使用済み家電製品（廃家電）を、リサイクルのために破砕処理する破砕機へ搬送する廃棄物搬送設備に関するものである。
【背景技術】
【０００２】
近年、環境保護の観点から、廃棄物を減少させ資源を再利用することが求められている。特に、冷蔵庫、洗濯機、テレビ、エアコン等の家電製品を製造している企業には、リサイクルが一部義務化され、部品や材料の再利用が行われている。このため、これらの企業では、使用済みの廃家電を分解するリサイクル設備が設けられている。
【０００３】
リサイクル設備においては、先ず、例えばフロンガス等の有害物を廃家電から抜き取り、手作業で分解できる部分を分解する。その後、廃家電を構成する各材料のリサイクルを容易にするため、各材料を破砕機で破砕する。このとき、手作業で分解された廃家電は、コンベア上へ投入され、コンベアにより破砕機へ搬送される。
【０００４】
このように廃棄物を搬送し、材質の種類毎に選別してそれぞれ処理を行う廃棄物処理装置は、例えば特許文献１に開示されている。
【０００５】
【特許文献１】特開平８−５２４５３号公報
【考案の開示】
【考案が解決しようとする課題】
【０００６】
しかしながら、廃家電等の廃棄物を分解してコンベアに投入する際、廃棄物に付着していた埃や、分解時又はコンベアへの投入時に飛散する粉塵等が、コンベア内に入る。そのままの状態でコンベアを稼働させると、金属やプラスチック等の材料にこれらの粉塵等が混ざってしまう。また、作業場所である建屋内に埃や粉塵が舞い、作業環境が損なわれるという問題点がある。
【０００７】
本考案の目的は、廃棄物をコンベアへ投入する際に発生する粉塵等を取り除き、廃棄物に粉塵等が混ざらないようにするとともに作業環境の改善を図る廃棄物搬送設備を提供することにある。
【課題を解決するための手段】
【０００８】
上記問題を解決するため、本考案は、使用済み家電製品等の廃棄物を手作業で粗分解する建屋の作業床よりも下方に、前記廃棄物を竪型破砕機へ搬送するコンベアが配設されている廃棄物搬送設備において、前記建屋内のコンベア上の粉塵を吸引するための吸引口を備えた集塵機を設けたことを特徴とする。集塵機により、廃棄物をコンベアへ投入する際に建屋内に飛散する粉塵等を取り除くことができる。
【０００９】
また、前記集塵機は、前記コンベアの下方に搬送方向に沿って設けられた集塵ダクトに連結されるとともに、前記集塵ダクトには、先端に吸引口を有する複数の管が連結され、前期吸引口が前期コンベアの上方に適宜間隔で配置されている。コンベア上の複数個所に吸引口を配置することにより、粉塵等が飛散した位置付近で迅速に吸引されるので、作業場所内に粉塵等が舞うのを抑制することができる。
【考案の効果】
【００１０】
本考案によれば、廃棄物に付着していた埃や、廃棄物をコンベアに投入する際に飛散した粉塵等が、建屋内のコンベア上で吸引されるので、廃棄物に粉塵等が混じることなく各材料を破砕することができる。したがって、円滑なリサイクルが実現できる。また、建屋内に粉塵等が舞うのを抑制するため、作業環境の向上が図れる。なお、吸引を強くすると、集塵だけではなく、コンベアに投入する廃棄物をコンベアへ誘導する役割も図れる。
【考案を実施するための最良の形態】
【００１１】
以下、本考案の実施の形態を、図を参照して説明する。
【００１２】
図１は、本考案に係る廃棄物搬送設備のコンベアの入口部を示し、廃棄物処理の最初の工程を行う建屋の略平面図である。
【００１３】
収集された使用済みの冷蔵庫、洗濯機、エアコン、テレビ等の廃家電は、それぞれ家電リサイクル法に基づいて処理される。例えば使用済みの冷蔵庫は、先ず前処理エリア１３へ搬入される。前処理エリア１３では、手作業による解体が行われる。冷蔵庫の場合には、トレイ等の付属部品や、冷媒、圧縮機等の取り外しが行われる。解体された廃家電はストックエリア１４へ送られ、ストックエリア１４から順次、分解エリア１５へ送られる。分解エリア１５では、手作業により、鉄、プラスチック、断熱材等の材料ごとに粗分解される。分解された廃家電は、コンベア２へ投入される。コンベア２は作業床１２よりも下方に設けられ、廃家電を作業床１２から押し出してそのまま落下させる。
【００１４】
建屋１１内では、他の廃家電、例えば洗濯機やエアコン等が種類別に分類されて、それぞれのストックエリアへ搬入される。例えば使用済み洗濯機はストックエリア１７へ搬入され、分解エリア１６で手作業により粗分解されて、コンベア２へ投入される。
【００１５】
図２および図３は、本考案に係る廃棄物搬送設備のコンベア２の概要を示し、図２は側面図、図３は部分平面図である。
【００１６】
建屋１１内で粗分解された廃家電等の廃棄物は、コンベア２に載置されて、竪型破砕機３へ搬送される。コンベア２は、図２に示すように、途中から上り方向の傾斜が設けられ、建屋１１の外側では、設置場所や使用条件に応じて、適宜開閉可能なフード６等の覆いが設けられている。廃棄物は、コンベア２の先端から竪型破砕機３へ投入され、破砕される。廃棄物は、図示しない分別装置等により、材料ごとに分別処理され、ストック容器４へ貯蔵される。コンベア２の先端側には、吸引ダクト５が設けられ、廃棄物を搬送する際に生じた粉塵等が取り除かれる。
【００１７】
建屋１１内のコンベア２の下方には、図３に示すように、集塵機７に連結され複数の吸引口２３を有する集塵ダクト２１が、コンベア２の搬送方向に沿って配設される。集塵ダクト２１はコンベア２の両端辺側に設けられ、適宜間隔、例えば１０００ｍｍ間隔で、吸引口２３が配置される。
【００１８】
図４は、図３のＡ−Ａ線から見た縦断面の拡大図である。コンベア２は、分解等の作業を行う作業床１２よりも下方に配設されている。コンベア２は、表面に複数の突起２９を有するいわゆるヒゲ付きコンベアであり、この突起２９により、コンベア２が上り方向の傾斜を有する個所でも、被搬送物である廃棄物が落下しないようになっている。
【００１９】
コンベア２の下方の左右両辺側に、コンベア２の搬送方向に沿って、図３に示す集塵機７に連結された集塵ダクト２１が配設される。集塵ダクト２１には、例えばφ２５０程度のスパイラル管が用いられる。また、集塵ダクト２１には、長さ方向に適宜間隔を有して、複数の管２２が連結される。管２２は、一端が集塵ダクト２１に連結され、他端は、コンベア２の上方に開放された吸引口２３を有している。管２２には、例えばφ１００程度の蛇腹管が用いられる。
【００２０】
手作業で粗分解された廃棄物は、作業床１２から、コンベア２周辺に配置された鋼板２５上を通過して、下方のコンベア２へ投入される。このとき、廃棄物を、作業床１２から床面に沿って引っ掛かりなく押し出すことができるように、例えば溶接等により傾斜面２６を設けて、作業床１２と鋼板２５との段差を解消する。また、投入される廃棄物が、コンベア２の外側に落下することなくコンベア２上に確実に載置されるためのガイド２４が設けられている。ガイド２４の先端は、コンベア２の上方且つ両端辺よりも少し内側に設けられる。なお、作業床１２上で廃棄物の分解作業を行う場合もある。
【００２１】
廃家電等の廃棄物を作業床１２から下方のコンベア２へ投入する際、廃棄物に堆積している埃や、投入時の衝撃等で破壊された部分から、粉塵等が発生する。この粉塵は、コンベア２上に配置された複数の吸引口２３から吸引され、集塵機７に回収される。これにより、廃棄物は粉塵が取り除かれた状態で破砕機３へ送られる。従って、異物の混入が少なく、材料ごとのリサイクルが円滑に行われる。また、粉塵が発生した場所付近に配置された吸引口２３から、迅速に粉塵が吸引されるので、手作業による分解等が行われる建屋１１内に粉塵が舞い上がるのを抑制し、作業環境の向上が図れる。
【産業上の利用可能性】
【００２２】
本考案は、廃家電やその他の各種廃棄物を、リサイクル処理のためにコンベアを用いて搬送する廃棄物搬送設備に適用できる。
【図面の簡単な説明】
【００２３】
【図１】本考案に係るコンベアの入口部を示す概略平面図。
【図２】本考案の廃棄物搬送設備全体を示す側面図。
【図３】本考案に係る集塵機の配設状態を示す部分平面図。
【図４】図３のＡ−Ａ線から見た拡大縦断面図。
【符号の説明】
【００２４】
２    コンベア
３    竪型破砕機
４    ストック容器
５    吸引ダクト
６    フード
７    集塵機
１１  建屋
１２  作業床
２１  集塵ダクト
２２  管
２３  吸引口
２４  ガイド
２５  鋼板
２６  傾斜面
２９  突起
【図１】
0003134425.tif 000003
【図２】
0003134425.tif 000004
【図３】
0003134425.tif 000005
【図４】
0003134425.tif 000006